【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
一般式（Ｉ）
【化１】
2000351769.tif 000001
［上記式中、
Ｒ1は、一般式
【化２】
2000351769.tif 000002
又は一般式
【化３】
2000351769.tif 000003
（式中、
Ｒ4は、置換基群αから選択される基で１乃至５個置換されたフェニル基又は置換基群αから選択される基で１乃至４個置換されてもよいピリジル基を示し、
Ｒ5は、水素原子又は置換基群αから選択される基を示し、
Ｒ6は、水素原子、Ｃ1−Ｃ6アルキル基、置換基群βから選択される基で１乃至３個置換されてもよいＣ6−Ｃ10アリール基又は置換基群βから選択される基で１乃至３個置換されてもよいＣ7−Ｃ16アラルキル基を示し、
Ｄは、酸素原子又は硫黄原子を示し、
Ｅは、ＣＨを有する基又は窒素原子を示す。）
を有する基を示し、
Ｒ2は、水素原子又は置換基群αから選択される基を示し、
Ｒ3は、式
【化４】
2000351769.tif 000004
を有する基を示し、
Ａは、Ｃ1−Ｃ6アルキレン基を示し、
Ｂは、酸素原子又は硫黄原子を示す。
但し、Dが硫黄原子であり、かつ、Eが窒素原子である化合物を除く。］
を有する置換縮合複素環化合物又はその薬理上許容される塩を有効成分として含有するインスリン抵抗性改善剤。
＜置換基群α＞
ハロゲン原子；ヒドロキシ基；Ｃ1−Ｃ6アルキル基；ハロゲノＣ1−Ｃ6アルキル基；Ｃ1−Ｃ6アルコキシ基；Ｃ1−Ｃ6アルキルチオ基；置換基群γから選択される基で置換されてもよいアミノ基；置換基群βから選択される基で１乃至３個置換されてもよい、Ｃ3−Ｃ10シクロアルキル、Ｃ6−Ｃ10アリール、Ｃ7−Ｃ16アラルキル、Ｃ6−Ｃ10アリールオキシ、Ｃ7−Ｃ16アラルキルオキシ及びＣ6−Ｃ10アリールチオ基；Ｃ1−Ｃ7脂肪族アシルオキシ基；窒素原子を含有する４乃至７員飽和複素環基；窒素原子を含有する５乃至６員芳香複素環基；ニトロ基；並びにシアノ基。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項２】
請求項１において、Ｒ1が、一般式（ＩＩ）を有する基である置換縮合複素環化合物又はその薬理上許容される塩を有効成分として含有するインスリン抵抗性改善剤。
【請求項３】
請求項１又は２において、Ｒ2及びＲ5が、同一又は異なって、水素原子、ハロゲン原子、ヒドロキシ基、Ｃ1−Ｃ6アルキル基、ハロゲノＣ1−Ｃ6アルキル基、Ｃ1−Ｃ6アルコキシ基、Ｃ1−Ｃ6アルキルチオ基又は置換基群γから選択される基で置換されてもよいアミノ基である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項４】
請求項１又は２において、Ｒ2及びＲ5が、同一又は異なって、水素原子、弗素原子、塩素原子、ヒドロキシ基、メチル基、エチル基、トリフルオロメチル基、メトキシ基、メチルチオ基又はアミノ基である置換縮合複素環化合物又はその薬理上許容される塩を有効成分として含有するインスリン抵抗性改善剤。
【請求項５】
請求項１又は２において、Ｒ2及びＲ5が、水素原子である置換縮合複素環化合物又はその薬理上許容される塩を有効成分として含有するインスリン抵抗性改善剤。
【請求項６】
請求項１乃至５より選択されるいずれか１項において、Ｒ3が、式（ＩＶ−１）乃至（ＩＶ−３）を有する基である置換縮合複素環化合物又はその薬理上許容される塩を有効成分として含有するインスリン抵抗性改善剤。
【請求項７】
請求項１乃至５より選択されるいずれか１項において、Ｒ3が、式（ＩＶ−２）又は（ＩＶ−３）を有する基である置換縮合複素環化合物又はその薬理上許容される塩を有効成分として含有するインスリン抵抗性改善剤。
【請求項８】
請求項１乃至５より選択されるいずれか１項において、Ｒ3が、式（ＩＶ−２）を有する基である置換縮合複素環化合物又はその薬理上許容される塩を有効成分として含有するインスリン抵抗性改善剤。
【請求項９】
請求項１乃至８より選択されるいずれか１項において、Ｒ4が、下記置換基で１個置換されてもよいピリジル基（該置換基は、ハロゲン、ヒドロキシ、Ｃ1−Ｃ6アルキル、ハロゲノＣ1−Ｃ6アルキル、Ｃ1−Ｃ6アルコキシ、Ｃ1−Ｃ6アルキルチオ、置換基群γから選択される基で置換されてもよいアミノ又はニトロである。）である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項１０】
請求項１乃至８より選択されるいずれか１項において、Ｒ4が、下記置換基で１個置換されてもよいピリジル基（該置換基は、弗素、塩素、ヒドロキシ、メチル、エチル、ｔ−ブチル、トリフルオロメチル、メトキシ、メチルチオ、アミノ、メチルアミノ、ジメチルアミノ又はニトロである。）である置換縮合複素環化合物又はその薬理上許容される塩を有効成分として含有するインスリン抵抗性改善剤。
【請求項１１】
請求項１乃至８より選択されるいずれか１項において、Ｒ4が、ピリジル基である置換縮合複素環化合物又はその薬理上許容される塩を有効成分として含有するインスリン抵抗性改善剤。
【請求項１２】
請求項１乃至８より選択されるいずれか１項において、Ｒ4が、下記置換基群から選択される基で少なくとも１個置換されたフェニル基（該置換基群は、置換基群βから選択される基で１乃至３個置換されてもよい、Ｃ3−Ｃ10シクロアルキル、Ｃ6−Ｃ10アリール及びＣ7−Ｃ16アラルキル、窒素原子を含有する４乃至７員飽和複素環並びに窒素原子を含有する５乃至６員芳香複素環から成る。）である置換縮合複素環化合物又はその薬理上許容される塩を有効成分として含有するインスリン抵抗性改善剤。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項１３】
請求項１２において、Ｒ4が、下記置換基で１個置換されたフェニル基（該置換基群は、置換基群βから選択される基で１個置換されてもよい、Ｃ3−Ｃ10シクロアルキル、Ｃ6−Ｃ10アリール若しくはＣ7−Ｃ16アラルキル、窒素原子を含有する４乃至７員飽和複素環又は窒素原子を含有する５乃至６員芳香複素環である。）である置換縮合複素環化合物又はその薬理上許容される塩を有効成分として含有するインスリン抵抗性改善剤。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項１４】
請求項１２において、Ｒ4が、下記置換基で１個置換されたフェニル基（該置換基は、ハロゲン、ヒドロキシ、Ｃ1−Ｃ6アルキル、ハロゲノＣ1−Ｃ6アルキル、Ｃ1−Ｃ6アルコキシ又は置換基群γから選択される基で置換されてもよいアミノで１個置換されてもよい、Ｃ3−Ｃ10シクロアルキル、Ｃ6−Ｃ10アリール若しくはＣ7−Ｃ16アラルキル、窒素原子を含有する４乃至７員飽和複素環又は窒素原子を含有する５乃至６員芳香複素環である。）である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項１５】
請求項１２において、Ｒ4が、下記置換基で１個置換されたフェニル基（該置換基は、ハロゲン、ヒドロキシ、Ｃ1−Ｃ6アルキル、ハロゲノＣ1−Ｃ6アルキル、Ｃ1−Ｃ6アルコキシ若しくは置換基群γから選択される基で置換されてもよいアミノで１個置換されてもよい、フェニル若しくはベンジル、アダマンチル、ピロリジニル、モルホリニル、ピペリジニル、イミダゾリル、テトラゾリル又はピリジニル基である。）である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項１６】
請求項１２において、Ｒ4が、下記置換基で１個置換されたフェニル基（該置換基は、弗素、塩素、ヒドロキシ、メチル、エチル、ｔ−ブチル、トリフルオロメチル、メトキシ、アミノ、メチルアミノ若しくはジメチルアミノで１個置換されてもよい、フェニル若しくはベンジル、アダマンチル、ピロリジニル、モルホリニル、ピペリジニル、イミダゾリル、テトラゾリル又はピリジニル基である。）である置換縮合複素環化合物又はその薬理上許容される塩を有効成分として含有するインスリン抵抗性改善剤。
【請求項１７】
請求項１２において、Ｒ4が、４−ビフェニリル、４−ベンジルフェニル、４‘−ヒドロキシビフェニリル、（ピロリジン−１−イル）フェニル、（モルホリン−４−イル）フェニル、（ピペリジン−１−イル）フェニル、（ピリジン−２−イル）フェニル、（ピリジン−３−イル）フェニル又は４−（１−アダマンチル）フェニル基である置換縮合複素環化合物又はその薬理上許容される塩を有効成分として含有するインスリン抵抗性改善剤。
【請求項１８】
請求項１乃至８より選択されるいずれか１項において、Ｒ4が、置換基群γから選択される基で置換されてもよいアシルアミノで１個置換され、更に、下記置換基群から選択される基で１乃至３個置換されてもよいフェニル基（該置換基群は、ハロゲン、ヒドロキシ、Ｃ1−Ｃ6アルキル、ハロゲノＣ1−Ｃ6アルキル、Ｃ1−Ｃ6アルコキシ及びＣ1−Ｃ6アルキルチオから成る。）である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項１９】
請求項１８において、Ｒ4が、置換基群γから選択される基で置換されてもよいアシルアミノで１個置換され、更に、下記置換基群から選択される基で１乃至３個置換されてもよいフェニル基（該置換基群は、ハロゲン及びＣ1−Ｃ6アルキルから成る。）である置換縮合複素環化合物又はその薬理上許容される塩を有効成分として含有するインスリン抵抗性改善剤。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ8−Ｃ12芳香脂肪族アシル、Ｃ4−Ｃ11シクロアルキルカルボニル及び窒素原子を含有する５乃至６員芳香複素環カルボニル基を示す。）。
【請求項２０】
請求項１８において、Ｒ4が、Ｃ1−Ｃ10アルキルまたは置換されてもよいＣ7−Ｃ12アラルキルで置換されてもよいアシルアミノで１個置換され、更に、Ｃ1−Ｃ6アルキルで１乃至３個置換されてもよいフェニル基である置換縮合複素環化合物又はその薬理上許容される塩を有効成分として含有するインスリン抵抗性改善剤。
【請求項２１】
請求項１８において、Ｒ4が、下記置換基で１個置換されたフェニル基（該置換基は、置換されてもよい、Ｃ7−Ｃ11芳香族アシルアミノ、Ｃ4−Ｃ11シクロアルキルカルボニルアミノ又は窒素原子を含有する５乃至６員芳香複素環カルボニルアミノである。）である置換縮合複素環化合物又はその薬理上許容される塩を有効成分として含有するインスリン抵抗性改善剤。
【請求項２２】
請求項１８において、Ｒ4が、ベンゾイルアミノ、３−クロロベンゾイルアミノ、２，４−ジフルオロベンゾイルアミノ、４−ヒドロキシ−３，５−ジ−ｔ−ブチルベンゾイルアミノ、ナフトイルアミノ、シクロペンタノイルアミノ、シクロヘキサノイルアミノ、ニコチノイルアミノ、イソニコチノイルアミノ、Ｎ−アセチル−Ｎ−ヘキシルアミノ又はアダマンチルカルボニルアミノで置換されたフェニル基である置換縮合複素環化合物又はその薬理上許容される塩を有効成分として含有するインスリン抵抗性改善剤。
【請求項２３】
請求項１乃至８より選択されるいずれか１項において、Ｒ4が、アミノ、１乃至２個の基で置換されたアミノ（該置換基は、同一又は異なって、Ｃ1−Ｃ10アルキル並びに、置換されてもよい、Ｃ6−Ｃ10アリール及びＣ7−Ｃ16アラルキルから成る。）、ニトロ又はシアノで１個置換され、更に、下記置換基群から選択される基で１乃至３個置換されてもよいフェニル基（該置換基群は、ハロゲン、ヒドロキシ、Ｃ1−Ｃ6アルキル、ハロゲノＣ1−Ｃ6アルキル、Ｃ1−Ｃ6アルコキシ及びＣ1−Ｃ6アルキルチオから成る。）である置換縮合複素環化合物又はその薬理上許容される塩を有効成分として含有するインスリン抵抗性改善剤。
【請求項２４】
請求項２３において、Ｒ4が、アミノ、モノ若しくはジ−Ｃ1−Ｃ10アルキルアミノ又はシアノで１個で置換され、更に、Ｃ1−Ｃ6アルキルで１乃至２個置換されてもよいフェニル基である置換縮合複素環化合物又はその薬理上許容される塩を有効成分として含有するインスリン抵抗性改善剤。
【請求項２５】
請求項２３において、Ｒ4が、４−アミノフェニル、４−アミノ−３，５−ジメチルフェニル、４−アミノ−３，５−ジ−ｔ−ブチルフェニル、３−ジメチルアミノフェニル、４−ジメチルアミノフェニル又は４−シアノフェニル基である置換縮合複素環化合物又はその薬理上許容される塩を有効成分として含有するインスリン抵抗性改善剤。
【請求項２６】
請求項１乃至８より選択されるいずれか１項において、Ｒ4が、置換基群βから選択される基で１乃至３個置換されてもよい、Ｃ6−Ｃ10アリールオキシ、Ｃ7−Ｃ16アラルキルオキシ又はＣ6−Ｃ10アリールチオで１個置換され、更に、下記置換基群から選択される基で１乃至３個置換されてもよいフェニル基（該置換基群は、ハロゲン、ヒドロキシ、Ｃ1−Ｃ6アルキル、ハロゲノＣ1−Ｃ6アルキル、Ｃ1−Ｃ6アルコキシ及びＣ1−Ｃ6アルキルチオから成る。）である置換縮合複素環化合物又はその薬理上許容される塩を有効成分として含有するインスリン抵抗性改善剤。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項２７】
請求項２６において、Ｒ4が、置換基群βから選択される基で１乃至３個置換されてもよいＣ6−Ｃ10アリールオキシ１個で置換され、更に、Ｃ1−Ｃ6アルキルで１乃至２個置換されてもよいフェニル基である置換縮合複素環化合物又はその薬理上許容される塩を有効成分として含有するインスリン抵抗性改善剤。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項２８】
請求項２６において、Ｒ4が、置換基群βから選択される基で１個置換されてもよいＣ6−Ｃ10アリールオキシ１個で置換されたフェニル基である置換縮合複素環化合物又はその薬理上許容される塩を有効成分として含有するインスリン抵抗性改善剤。
＜置換基群β＞
ハロゲン原子、ヒドロキシ基、Ｃ1−Ｃ6アルキル基、ハロゲノＣ1−Ｃ6アルキル基、Ｃ1−Ｃ6アルコキシ基、置換基群γから選択される基で置換されてもよいアミノ基、Ｃ6−Ｃ10アリール基、及びニトロ基。
＜置換基群γ＞
Ｃ1−Ｃ10アルキル基、置換されてもよい、Ｃ6−Ｃ10アリール及びＣ7−Ｃ16アラルキル基並びに、アシル基（該アシル基は、Ｃ1−Ｃ7脂肪族アシル基並びに置換されてもよい、Ｃ7−Ｃ11芳香族アシル、Ｃ８−Ｃ12芳香脂肪族アシル、Ｃ4−Ｃ11シクロアルキルカルボニル及び窒素原子を含有する５乃至６員芳香複素環カルボニル基を示す。）。
【請求項２９】
請求項２６において、Ｒ4が、４−フェノキシフェニルである置換縮合複素環化合物又はその薬理上許容される塩を有効成分として含有するインスリン抵抗性改善剤。
【請求項３０】
請求項１乃至８より選択されるいずれか１項において、Ｒ4が、下記置換基群から選択される基で１乃至５個置換されたフェニル基（該置換基群は、ハロゲン、ヒドロキシ、Ｃ1−Ｃ6アルキル、ハロゲノＣ1−Ｃ6アルキル、Ｃ1−Ｃ6アルコキシ、Ｃ1−Ｃ6アルキルチオ及びＣ1−Ｃ7脂肪族アシルオキシから成る。）である置換縮合複素環化合物又はその薬理上許容される塩を有効成分として含有するインスリン抵抗性改善剤。
【請求項３１】
請求項３０において、Ｒ4が、ハロゲン、ヒドロキシ、Ｃ1−Ｃ6アルキル、ハロゲノＣ1−Ｃ6アルキル、Ｃ1−Ｃ6アルコキシ、Ｃ1−Ｃ6アルキルチオ又はＣ1−Ｃ7脂肪族アシルオキシで１個置換され、更に、下記置換基群から選択される基で１乃至４個置換されてもよいフェニル基（該置換基群は、ハロゲン、Ｃ1−Ｃ6アルキル及びハロゲノＣ1−Ｃ6アルキルから成る。）である置換縮合複素環化合物又はその薬理上許容される塩を有効成分として含有するインスリン抵抗性改善剤。
【請求項３２】
請求項３０において、Ｒ4が、Ｃ1−Ｃ6アルキル、ハロゲノＣ1−Ｃ6アルキル、Ｃ1−Ｃ6アルコキシ若しくはＣ1−Ｃ6アルキルチオで１個置換されたフェニル基又は１乃至５個のハロゲンで置換されたフェニル基である置換縮合複素環化合物又はその薬理上許容される塩を有効成分として含有するインスリン抵抗性改善剤。
【請求項３３】
請求項３０において、Ｒ4が、ハロゲノＣ1−Ｃ2アルキル、Ｃ1−Ｃ2アルコキシ若しくはＣ1−Ｃ2アルキルチオで１個置換されたフェニル基又は１乃至５個の弗素原子若しくは塩素原子で置換されたフェニル基である置換縮合複素環化合物又はその薬理上許容される塩を有効成分として含有するインスリン抵抗性改善剤。
【請求項３４】
請求項３０において、Ｒ4が、４−トリフルオロメチルフェニル、４−メチルチオフェニル、４−メトキシフェニル又はペンタフルオロフェニル基である置換縮合複素環化合物又はその薬理上許容される塩を有効成分として含有するインスリン抵抗性改善剤。
【請求項３５】
請求項３０において、Ｒ4が、ヒドロキシ若しくはＣ1−Ｃ7脂肪族アシルオキシで１個置換され、更に、下記置換基群から選択される基で１乃至３個置換されてもよいフェニル基（該置換基群は、ハロゲン及びＣ1−Ｃ6アルキルから成る。）である置換縮合複素環化合物又はその薬理上許容される塩を有効成分として含有するインスリン抵抗性改善剤。
【請求項３６】
請求項３０において、Ｒ4が、ヒドロキシで１個置換され、更に、下記置換基群から選択される基で１乃至３個置換されてもよいフェニル基（該置換基群は、ハロゲン及びＣ1−Ｃ6アルキルから成る。）である置換縮合複素環化合物又はその薬理上許容される塩を有効成分として含有するインスリン抵抗性改善剤。
【請求項３７】
請求項３０において、Ｒ4が、ヒドロキシで１個置換され、更に、下記置換基群から選択される基で１乃至３個置換されてもよいフェニル基（該置換基群は、弗素、塩素、メチル及びｔ−ブチルから成る。）である置換縮合複素環化合物又はその薬理上許容される塩を有効成分として含有するインスリン抵抗性改善剤。
【請求項３８】
請求項３０において、Ｒ4が、４−ヒドロキシフェニル、４−ヒドロキシ−３，５−ジメチルフェニル、４−ヒドロキシ−３，５−ジ−ｔ−ブチルフェニル、４−ヒドロキシ−２，３，５−トリメチルフェニル又は２―クロロ−４−ヒドロキシ−３，５−ジメチルフェニル基である置換縮合複素環化合物又はその薬理上許容される塩を有効成分として含有するインスリン抵抗性改善剤。
【請求項３９】
請求項１乃至３８より選択されるいずれか１項において、Ｒ6が、水素原子、Ｃ1−Ｃ6アルキル基、又は下記置換基群から選択される基で１乃至３個置換されてもよい置換されてもよい、フェニル若しくはベンジル基（該置換基群は、ハロゲン、ヒドロキシ、Ｃ1−Ｃ6アルキル及びハロゲノＣ1−Ｃ6アルキルから成る。）である置換縮合複素環化合物又はその薬理上許容される塩を有効成分として含有するインスリン抵抗性改善剤。
【請求項４０】
請求項１乃至３８より選択されるいずれか１項において、Ｒ6が、水素原子、Ｃ1−Ｃ4アルキル基、又は下記置換基で１個置換されてもよい、フェニル若しくはベンジル基（該置換基は、弗素、塩素、ヒドロキシ、メチル又はエチルである。）である置換縮合複素環化合物又はその薬理上許容される塩を有効成分として含有するインスリン抵抗性改善剤。
【請求項４１】
請求項１乃至３８より選択されるいずれか１項において、Ｒ6が、水素原子又はＣ1−Ｃ4アルキル基である置換縮合複素環化合物又はその薬理上許容される塩を有効成分として含有するインスリン抵抗性改善剤。
【請求項４２】
請求項１乃至３８より選択されるいずれか１項において、Ｒ6が、Ｃ1−Ｃ2アルキル基である置換縮合複素環化合物又はその薬理上許容される塩を有効成分として含有するインスリン抵抗性改善剤。
【請求項４３】
請求項１乃至３８より選択されるいずれか１項において、Ｒ6が、メチル基である置換縮合複素環化合物又はその薬理上許容される塩を有効成分として含有するインスリン抵抗性改善剤。
【請求項４４】
請求項１乃至４３より選択されるいずれか１項において、Ａが、Ｃ1−Ｃ4アルキレン基である置換縮合複素環化合物又はその薬理上許容される塩を有効成分として含有するインスリン抵抗性改善剤。
【請求項４５】
請求項１乃至４３より選択されるいずれか１項において、Ａが、Ｃ1−Ｃ2アルキレン基である置換縮合複素環化合物又はその薬理上許容される塩を有効成分として含有するインスリン抵抗性改善剤。
【請求項４６】
請求項１乃至４３より選択されるいずれか１項において、Ａが、メチレン基である置換縮合複素環化合物又はその薬理上許容される塩を有効成分として含有するインスリン抵抗性改善剤。
【請求項４７】
請求項１乃至４６より選択されるいずれか１項において、Ｂが、酸素原子である置換縮合複素環化合物又はその薬理上許容される塩を有効成分として含有するインスリン抵抗性改善剤。
【請求項４８】
請求項１乃至４７より選択されるいずれか１項において、Ｄが、酸素原子である置換縮合複素環化合物又はその薬理上許容される塩を有効成分として含有するインスリン抵抗性改善剤。
【請求項４９】
請求項１乃至４７より選択されるいずれか１項において、Ｄが、硫黄原子である置換縮合複素環化合物又はその薬理上許容される塩を有効成分として含有するインスリン抵抗性改善剤。
【請求項５０】
請求項１乃至４９より選択されるいずれか１項において、Ｅが、ＣＨを有する基である置換縮合複素環化合物又はその薬理上許容される塩を有効成分として含有するインスリン抵抗性改善剤。
【請求項５１】
請求項１乃至４８より選択されるいずれか１項において、Ｅが、窒素原子である置換縮合複素環化合物又はその薬理上許容される塩を有効成分として含有するインスリン抵抗性改善剤。
【請求項５２】
請求項１において、下記の化合物群から選択される化合物又はその薬理上許容される塩を有効成分として含有するインスリン抵抗性改善剤。
５−｛４−［６−（４−ヒドロキシフェノキシ）−１−メチル−１Ｈ−ベンツイミダゾール−２−イルメトキシ］ベンジル｝チアゾリジン−２，４−ジオン、
５−｛４−［１−メチル−６−（４−トリフルオロメチルフェノキシ）−１Ｈ−ベンツイミダゾール−２−イルメトキシ］ベンジル｝チアゾリジン−２、４−ジオン、
５−｛４−［１−メチル−６−（４−メトキシフェノキシ）−１Ｈ−ベンツイミダゾール−２−イルメトキシ］ベンジル｝チアゾリジン−２、４−ジオン、
５−｛４−［１−メチル−６−（４−メチルチオフェノキシ）−１Ｈ−ベンツイミダゾール−２−イルメトキシ］ベンジル｝チアゾリジン−２、４−ジオン、
５−｛４−［６−（４−アミノフェノキシ）−１−メチル−１Ｈ−ベンツイミダゾール−２−イルメトキシ］ベンジル｝チアゾリジン−２、４−ジオン、
５−｛４−［６−（３−ジメチルアミノフェノキシ）−１−メチル−１Ｈ−ベンツイミダゾール−２−イルメトキシ］ベンジル｝チアゾリジン−２、４−ジオン、
５−｛４−［６−（４−アセチルアミノフェノキシ）−１−メチル−１Ｈ−ベンツイミダゾール−２−イルメトキシ］ベンジル｝チアゾリジン−２、４−ジオン、
５−｛４−［１−メチル−６−（４−フェニルフェノキシ）−１Ｈ−ベンツイミダゾール−２−イルメトキシ］ベンジル｝チアゾリジン−２、４−ジオン、
５−｛４−［６−（４’−ヒドロキシビフェニル−４−イルオキシ）−１−メチル−１Ｈ−ベンツイミダゾール−２−イルメトキシ］ベンジル｝チアゾリジン−２、４−ジオン、
５−｛４−［６−（４−ベンジルフェノキシ）−１−メチル−１Ｈ−ベンツイミダゾール−２−イルメトキシ］ベンジル｝チアゾリジン−２、４−ジオン、
５−｛４−（６−［２−（ピロリジン−１−イル）フェノキシ］−１−メチル−１Ｈ−ベンツイミダゾール−２−イルメトキシ）ベンジル｝チアゾリジン−２，４−ジオン、
５−｛４−（６−［２−（ピペリジン−１−イル）フェノキシ］−１−メチル−１Ｈ−ベンツイミダゾール−２−イルメトキシ）ベンジル｝チアゾリジン−２，４−ジオン、
５−｛４−（６−［２−（モルホリン−４−イル）フェノキシ］−１−メチル−１Ｈ−ベンツイミダゾール−２−イルメトキシ）ベンジル｝チアゾリジン−２，４−ジオン、
５−｛４−（１−メチル−６−［３−（モルホリン−４−イル）フェノキシ］−１Ｈ−ベンツイミダゾール−２−イルメトキシ）ベンジル｝チアゾリジン−２，４−ジオン、
５−｛４−［６−（２−クロロ−４−ヒドロキシ−３，５−ジメチルフェノキシ）−１−メチル−１Ｈ−ベンツイミダゾール−２−イルメトキシ］ベンジル｝チアゾリジン−２，４−ジオン、
５−｛４−［６−（４−ヒドロキシ−２−メチルフェノキシ）−１−メチル−１Ｈ−ベンツイミダゾール−２−イルメトキシ］ベンジル｝チアゾリジン−２、４−ジオン、
５−｛４−［６−（４−ヒドロキシ−３−メチルフェノキシ）−１−メチル−１Ｈ−ベンツイミダゾール−２−イルメトキシ］ベンジル｝チアゾリジン−２、４−ジオン、
５−｛４−［６−（４−ヒドロキシ−２，５−ジメチルフェノキシ）−１−メチル−１Ｈ−ベンツイミダゾール−２−イルメトキシ］ベンジル｝チアゾリジン−２、４−ジオン、
５−｛４−［６−（４−ヒドロキシ−３，５−ジメチルフェノキシ）−１−メチル−１Ｈ−ベンツイミダゾール−２−イルメトキシ］ベンジル｝チアゾリジン−２，４−ジオン、
５−｛４−［６−（３，５−ジ−ｔ−ブチル−４−ヒドロキシフェノキシ）−１−メチル−１Ｈ−ベンツイミダゾール−２−イルメトキシ］ベンジル｝チアゾリジン−２、４−ジオン、
５−｛４−［６−（３，５−ジ−ｔ−ブチル−４−ヒドロキシフェニルチオ）−１−メチル−１Ｈ−ベンツイミダゾール−２−イルメトキシ］ベンジル｝チアゾリジン−２，４−ジオン、
５−｛４−［６−（４−ヒドロキシ−２，３，５−トリメチルフェノキシ）−１−メチル−１Ｈ−ベンツイミダゾール−２−イルメトキシ］ベンジル｝チアゾリジン−２，４−ジオン、
５−｛４−［５−（４−ヒドロキシ−２，３，５−トリメチルフェノキシ）−３−メチル−３Ｈ−イミダゾ［４，５−ｂ］ピリジン−２−イルメトキシ］ベンジル｝チアゾリジン−２，４−ジオン、
５−｛４−［６−（４−アミノ−３，５−ジメチルフェノキシ）−１−メチル−１Ｈ−ベンツイミダゾール−２−イルメトキシ］ベンジル｝チアゾリジン−２，４−ジオン、
５−｛４−［６−（４−アセチルアミノ−３，５−ジメチルフェノキシ）−１−メチル−１Ｈ−ベンツイミダゾール−２−イルメトキシ］ベンジル｝チアゾリジン−２，４−ジオン、
５−｛４−［６−（ピリジン−２−イルオキシ）−１−メチル−１Ｈ−ベンツイミダゾール−２−イルメトキシ］ベンジル｝チアゾリジン−２，４−ジオン、
５−｛４−［１−メチル−６−（ピリジン−２−イルチオ）−１Ｈ−ベンツイミダゾール−２−イルメトキシ］ベンジル｝チアゾリジン−２、４−ジオン、
５−｛４−［１−メチル−６−（ピリジン−３−イルオキシ）−１Ｈ−ベンツイミダゾール−２−イルメトキシ］ベンジル｝チアゾリジン−２、４−ジオン、
５−｛４−（６−［４−（イミダゾール−１−イル）フェノキシ］−１−メチル−１Ｈ−ベンツイミダゾール−２−イルメトキシ）ベンジル｝チアゾリジン−２、４−ジオン、
５−｛４−（６−［４−（１−アダマンチル）フェノキシ］−１−メチル−１Ｈ−ベンツイミダゾール−２−イルメトキシ）ベンジル｝チアゾリジン−２、４−ジオン、
５−｛４−［６−（４−シアノフェノキシ）−１−メチル−１Ｈ−ベンツイミダゾール−２−イルメトキシ］ベンジル｝チアゾリジン−２，４−ジオン、
５−｛４−［６−（２，５−ジ−ｔ−ブチル−４−ヒドロキシフェノキシ）−１−メチル−１Ｈ−ベンツイミダゾール−２−イルメトキシ］ベンジル｝チアゾリジン−２、４−ジオン、
５−［４−（６−ペンタフルオロフェノキシ−１−メチル−１Ｈ−ベンツイミダゾール−２−イルメトキシ）ベンジル］チアゾリジン−２，４−ジオン、
５−｛４−［６−（４−ベンゾイルアミノフェノキシ）−１−メチル−１Ｈ−ベンツイミダゾール−２−イルメトキシ］ベンジル｝チアゾリジン−２、４−ジオン、
５−［４−｛６−［４−（２、４−ジフルオロベンゾイルアミノ）フェノキシ］−１−メチル−１Ｈ−ベンツイミダゾール−２−イルメトキシ｝ベンジル］チアゾリジン−２、４−ジオン、
５−｛４−［６−（４−シクロペンタノイルアミノフェノキシ）−１−メチル−１Ｈ−ベンツイミダゾール−２−イルメトキシ］ベンジル｝チアゾリジン−２、４−ジオン、
５−｛４−［６−（４−ニコチノイルアミノフェノキシ）−１−メチル−１Ｈ−ベンツイミダゾール−２−イルメトキシ］ベンジル｝チアゾリジン−２、４−ジオン、及び
５−｛４−［６−（３、５−ジ−ｔ−ブチル−４−ヒドロキシフェニルチオ）−１−メチル−１Ｈ−ベンツイミダゾール−２−イルメトキシ］ベンジリデン｝チアゾリジン−２、４−ジオン。
【請求項５３】
請求項１乃至５２より選択されるいずれか１項に記載された置換縮合複素環化合物又はその薬理上許容される塩を有効成分として含有する血糖低下剤。
【請求項５４】
請求項１乃至５２より選択されるいずれか１項に記載された置換縮合複素環化合物又はその薬理上許容される塩を有効成分として含有する抗炎症剤。
【請求項５５】
請求項１乃至５２より選択されるいずれか１項に記載された置換縮合複素環化合物又はその薬理上許容される塩を有効成分として含有する免疫調節剤。
【請求項５６】
請求項１乃至５２より選択されるいずれか１項に記載された置換縮合複素環化合物又はその薬理上許容される塩を有効成分として含有するアルドース還元酵素阻害剤。
【請求項５７】
請求項１乃至５２より選択されるいずれか１項に記載された置換縮合複素環化合物又はその薬理上許容される塩を有効成分として含有する５−リポキシゲナーゼ阻害剤。
【請求項５８】
請求項１乃至５２より選択されるいずれか１項に記載された置換縮合複素環化合物又はその薬理上許容される塩を有効成分として含有する過酸化脂質生成抑制剤。
【請求項５９】
請求項１乃至５２より選択されるいずれか１項に記載された置換縮合複素環化合物又はその薬理上許容される塩を有効成分として含有するＰＰＡＲ活性化剤。
【請求項６０】
請求項１乃至５２より選択されるいずれか１項に記載された置換縮合複素環化合物又はその薬理上許容される塩を有効成分として含有するロイコトリエン拮抗剤。
【請求項６１】
請求項１乃至５２より選択されるいずれか１項に記載された置換縮合複素環化合物又はその薬理上許容される塩を有効成分として含有する脂肪細胞化促進剤。
【請求項６２】
請求項１乃至５２より選択されるいずれか１項に記載された置換縮合複素環化合物又はその薬理上許容される塩を有効成分として含有するガン細胞増殖抑制剤。
【請求項６３】
請求項１乃至５２より選択されるいずれか１項に記載された置換縮合複素環化合物又はその薬理上許容される塩を有効成分として含有するカルシウム拮抗剤。
【請求項６４】
請求項１乃至５２より選択されるいずれか１項に記載された置換縮合複素環化合物又はその薬理上許容される塩を有効成分として含有する、糖尿病、高脂血症、肥満症、耐糖能不全、高血圧症、脂肪肝、糖尿病合併症、動脈硬化症、妊娠糖尿病、多嚢胞卵巣症候群、心血管性疾患、アテローム性動脈硬化症若しくは虚血性心疾患により惹起される細胞損傷、痛風、炎症性疾患、ガン、骨粗鬆症又は白内障の予防剤又は治療剤。
【請求項６５】
請求項１乃至５２より選択されるいずれか１項に記載された置換縮合複素環化合物又はその薬理上許容される塩を有効成分として含有する医薬。